(57)【要約】【課題】  設定画面中に表示された設定データから必要とするものを誤りなく設定できるプリント装置を構成する。【解決手段】  設定データ画面５０の表示エリア５１に表示された設定データのファイル名をカーソルＣで指定することにより、指定した設定データの関連付けられたコメントを、そのファイル名の近傍の抽出領域５５に対して表示する。【選択図】        図５
2007042022.tif 000002
【特許請求の範囲】
【請求項１】
複数の設定データを示すインデックスを選択可能にモニタに表示し、この表示に基づいてオペレータが選択したインデックスに対応する設定データに基づいてプリント処理条件を設定するプリント装置であって、
前記設定データの内容を示すコメントデータが前記設定データと関連付けて保存され、ポインティングデバイスの操作によりオペレータが前記モニタに表示されたインデックスを指定した際には、そのインデックスに対応した設定データのコメントデータをモニタに表示するコメント表示手段を備えているプリント装置。
【請求項２】
プリントの対象とする画像データを前記モニタに表示し、補正操作に基づいて、その補正操作量に対応した補正結果をモニタに表示した画像データに反映する補正処理手段を備え、この補正処理手段による補正処理を実行する際に、前記補正操作量に対する補正量を設定する補正係数を複数のオペレータ毎に保存した前記設定データから取得するように構成されると共に、
この設定データの関連付けられるコメントデータが、オペレータを特定するための情報を含んでいる請求項１記載のプリント装置。
【請求項３】
前記インデックスが、アイコン又はファイル名であり、前記ポインティングデバイスの操作によってモニタに表示されたインデックスをカーソルで指定することにより、インデックスの近傍位置に前記コメントデータを表示するように前記コメント表示手段を構成している請求項１又は２記載のプリント装置。
【発明の詳細な説明】
【技術分野】
【０００１】
本発明は、複数の設定データを示すインデックスを選択可能にモニタに表示し、この表示に基づいてオペレータが選択したインデックスに対応する設定データに基づいてプリント処理条件を設定するプリント装置に関する。
【背景技術】
【０００２】
上記のように構成されたプリント装置と関連する技術として特許文献１に記載されるものが存在する。つまり、写真サービスに対応付けられたスタートボタン（本発明のインデックス）を画面に表示し、このスタートボタンを操作することにより、スタートボタンに対応した処理を実行できるように処理形態を設定している。スタートボタンとして「キャーンペーン商品」、「通常プリント」、「ＣＤ−Ｒ書き込みサービス」等が表示され、夫々のスタートボタンには対応する写真商品サービスの名称が、そのサービスを示すイラストとともに表示されている。
【０００３】
【特許文献１】特開２００４‐１７３０４６号公報  （段落番号〔００２７〕、図９）
【発明の開示】
【発明が解決しようとする課題】
【０００４】
ＤＰ店に設置されている写真プリント装置では、例えば、デジタルカメラで使用されたメディアから取得した画像データのプリントを行う際には、モニタに表示したプレジャッジ画面に画像データを表示し、このプレジャッジ画面に表示された色補正ボタンや濃度補正ボタンを選択し、キーボードやマウスを操作することにより、操作に対応した補正を行い、この補正結果をプレジャッジ画面の画像データに反映させて補正の確認を行えるように処理形態が設定されている。
【０００５】
また、プレジャッジ画面での補正を行う際に、設定データを取得することにより、キーボードのキーの操作回数と補正量と関係を設定することも行われている。この設定データは補正係数として捉えることが可能であり、オペレータ毎に設定することや、季節毎に変更することも行われている。
【０００６】
従来からのプリント装置では、設定データにファイル名を与えておき、設定データを設定する際には、設定画面をモニタに表示した状態で、設定画面中に一覧化して表示されたファイル名から必要とする設定データを特定する必要があった。従って、類似するファイル名が多く存在する場合には誤った選択が行われることもあった。この不都合を解消するために、設定データの内容を正確に把握できるファイル名を与えておくことや、特許文献１に記載されるように、内容を容易に把握できるアイコンを表示することが有効となる。
【０００７】
しかしながら、設定データの内容を正確に把握できるように、ファイル名を与えるものでは、ファイル名が長くなるため却って選択し難くなることや、ファイル名を表示するための領域を拡大する不都合に繋がるものとなる。また、アイコンを表示するものとして、設定データの内容を示す情報をアイコン毎に与えるものでは、アイコン自体の表示面積が大きく、長いファイル名を用いたものと同様に設定画面中に表示可能なアイコン数が制限される点において改善の余地があった。
【０００８】
尚、従来から設定データで、データの詳細を把握するためには、その設定データを一度ロードし、ロードされた設定データに含まれる詳細な情報を表示するための操作をオペレータ行う必要があった。
【０００９】
本発明の目的は、設定画面中に表示された設定データから必要とするものを誤りなく指定できるプリント装置を合理的に構成する点にある。
【課題を解決するための手段】
【００１０】
本発明の特徴は、複数の設定データを示すインデックスを選択可能にモニタに表示し、この表示に基づいてオペレータが選択したインデックスに対応する設定データに基づいてプリント処理条件を設定するプリント装置において、
前記設定データの内容を示すコメントデータが前記設定データと関連付けて保存され、ポインティングデバイスの操作によりオペレータが前記モニタに表示されたインデックスを指定した際には、そのインデックスに対応した設定データのコメントデータをモニタに表示するコメント表示手段を備えている点にある。
【００１１】
この構成により、ポインティングデバイスで指定したインデックスの設定データに関連付けられたコメントデータをモニタに表示できることになり、このコメントデータから設定データの詳細を認識できる。つまり、インデックスがファイル名であった場合でも、例えば、マウス等のポインティングデバイスの操作によって、カーソル等をファイル名が表示された部位に一致させる操作を行うだけで、そのファイル名に対応する設定データのコメントデータをモニタに表示することが可能となり、多くの情報を含んだファイル名を用いなくても、設定データを読み込む以前に設定データの詳細を把握できる。その結果、設定画面中に表示された設定データから必要とするものを誤りなく指定できるプリント装置が合理的に構成された。
【００１２】
本発明は、プリントの対象とする画像データを前記モニタに表示し、補正操作に基づいて、その補正操作量に対応した補正結果をモニタに表示した画像データに反映する補正処理手段を備え、この補正処理手段による補正処理を実行する際に、前記補正操作量に対する補正量を設定する補正係数を複数のオペレータ毎に保存した前記設定データから取得するように構成されると共に、
この設定データの関連付けられるコメントデータが、オペレータを特定するための情報を含んでも良い。
【００１３】
この構成により、画像データの補正を行う場合には、モニタに表示された設定データのインデックスデータを指定することにより、その設定データに関連付けられたコメントデータがモニタに表示され、このコメントデータからオペレータを特定する情報を取得することができ、補正処理を行う際に誤った設定を行うことがない。
【００１４】
本発明は、前記インデックスが、アイコン又はファイル名であり、前記ポインティングデバイスの操作によってモニタに表示されたインデックスをカーソルで指定することにより、インデックスの近傍位置に前記コメントデータを表示するように前記コメント表示手段を構成しても良い。
【００１５】
この構成により、ポインティングデバイスの操作によってモニタにインデックスとして表示されたアイコン又はファイル名をカーソルで指定することにより、コメント表示手段が、そのインデックスの近傍位置にコメントデータを表示するものとなり、オペレータは容易にコメントデータの情報を把握できる。
【発明を実施するための最良の形態】
【００１６】
以下、本発明の実施形態を図面に基づいて説明する。
〔全体構成〕
図１に示すようにオペレート部Ａとプリント部Ｂとを備えてプリント装置が構成されている。前記オペレート部Ａは、コンソール部１０に対して写真フィルムＦのコマ画像を光電変換によりデジタル信号化して取り込むフィルムスキャナ１１と、各種情報を表示するモニタ１２と、画像処理と各種処理とを実現するコンピュータで成る処理装置１３とを配置し、コンソール部１０の上面にはキーボードＫＢと、ポインティングデバイスとして機能するマウス１５とを備えている。
【００１７】
前記処理装置１３にはＣＤやＭＯやＦＤ等のディスク型のメディアからの情報を取得する、あるいは、半導体型のメディアからの情報を取得するようメディアの構造に対応したメディアドライブ１６を備えている。
【００１８】
前記プリント部Ｂは、筐体２０の内部においてプリントサイズに切断した銀塩式の印画紙Ｐを露光部に搬送し、この露光部においてレーザビームにより画像情報の露光を行い、この露光後の印画紙Ｐを現像処理槽に搬送して現像処理を行う。次に、現像処理の後に乾燥処理を行い、筐体２０の上部から水平方向に送り出し、更に、この印画紙Ｐを搬送ベルト２１からソータ２２の複数のトレイ２３に対してオーダ単位で仕分けて集積するよう構成されている。
【００１９】
前記処理装置１３は、前述のようにフィルムスキャナ１１によって取り込んだ画像データ、あるいは、前記メディアドライブ１６を介してメディアから取り込んだ画像データを前記半導体メモリ３１やハードディスクＨＤ（図４を参照）に対して保存する処理を行うと共に、プリント対象となる画像データをモニタ１２に表示し、前記キーボードＫＢを介してオペレータが入力する情報に基づいてプリント枚数やプリントサイズ等のオーダデータの設定と、マニュアル補正とを実現する。
【００２０】
図２に示すように、前記キーボードＫＢは、前記モニタ１２に表示された複数の画像情報の何れかを選択する際にカーソルを縦横に移動させる４つのカーソルキー１と、色補正を行う際に補正色を指定するイエロー（Ｙ）、マゼンタ（Ｍ）、シアン（Ｃ）に対応した色補正選択キー２と、濃度補正を選択する濃度補正選択キー３と、補正量やプリント枚数を増大するインクリメントキー４と、補正量やプリント枚数を低減するデクリメントキー５と、これらの数値を初期値に設定するニュートラルキー６と、ファンクションキー７と、プリントを実行する実行キー８と、処理を一時的に停止する停止キー９とを備えている。同図に示す如く夫々のキーのキートップには、そのキー機能を示す文字や記号やシンボルが視認可能な形態でプリントされている。
【００２１】
この写真処理装置の制御系の概要を図４のように示している。つまり、前記処理装置１３は、入出力インタフェース３０と、この入出力インタフェース３０（Ｉ／Ｏ）からの情報を処理するマイクロプロセッサＣＰＵとを備えている。前記入出力インタフェース３０は、前記フィルムスキャナ１１、モニタ１２、キーボードＫＢ、マウス１５、メディアドライブ１６、ハードディスクＨＤ夫々からの情報がアクセスする。また、ＣＰＵのデータバスに対して半導体メモリ３１、オペレーティングシステム３２、画像データ取得手段３３、設定データ取得部３４、プレジャッジ画面制御手段３５、補正処理手段３６、画像加工手段３７、プリント実行手段３８、設定データテーブル３９からの情報がアクセスできるように接続している。
【００２２】
オペレーティングシステム３２、画像データ取得手段３３、設定データ取得部３４、プレジャッジ画面制御手段３５、補正処理手段３６、画像加工手段３７、プリント実行手段３８夫々は前記半導体メモリ３１に展開されるソフトウエアを想定しているが、ロジック等のハードウエアで構成して良く、また、ハードウエアとの組み合わせによって構成しても良い。
【００２３】
前記オペレーティングシステム３２は、半導体メモリ３１を管理すると共に、ソフトウエアを半導体メモリ３１に展開して実行を実現するものであり、前記キーボードＫＢやマウス１５の情報を取得して、実行中の処理に与えるインタフェースとしても機能する。前記画像データ取得手段３３は、前記フィルムスキャナ１１あるいは前記メディアドライブ１６から画像データを取得する。前記設定データ取得部３４はインデックス表示手段３４Ａとコメント表示手段３４Ｂとで構成され、この設定データ取得部３４は図５に示す設定データ画面５０をモニタ１２に表示して設定データを取得する処理を実現する。
【００２４】
前記プレジャッジ画面制御手段３５はモニタ１２に対して図７に示すプレジャッジ画面６０を表示し、この画面の表示に基づいてオペレータがプリント処理に必要な情報の入力と、前記補正処理手段３６による補正処理とを実現する。
【００２５】
前記画像加工手段３７は、画像データとテンプレートとの合成、画像データのトリミング等の処理を実現する。前記プリント実行手段３８は、前記プレジャッジ画面６０を介して処理されたプレジャッジ後の画像データや、画像加工手段３７で加工された画像データを前記プリント部Ｂに伝送してプリント処理を実現する。
【００２６】
設定データテーブル３９は前記補正処理手段３６による補正時に使用する補正係数をテーブル化して保存した領域である。尚、この設定データテーブル３９はＥＥＰＲＯＭ等の不揮発性メモリに形成するものであって良く、前記ハードディスクＨＤに形成するものであっても良い。
【００２７】
このプリント装置では、起動直後にモニタ１２に対して図３に示す初期画面４０を表示し、この初期画面４０において、印画紙Ｐへのプリント、又は、ＣＤ−Ｒ等のメディアへの保存の何れであるかの処理形態の選択を行い、処理形態がプリントである場合には、プリントチャンネルの選択、印画紙Ｐの種類の選択、プリント形態の選択等を行い、設定データを取得する処理を行う。
【００２８】
〔初期画面〕
前記初期画面４０には、画像データの取得形態を設定する入力ボタン４１、プリント処理に必要な情報を示すプリント情報表示部４２、メディアへの出力に必要な情報を示す出力情報表示部４３、プリント時のチャンネル等の情報を表示するチャンネル情報表示部４４、プリント時における画像データのプリント形態（加工形態）を設定するプリント形態設定ボタン４５、補正処理に必要な設定データを取得する設定データ取得ボタン４６夫々を形成している。
【００２９】
この初期画面４０では、前記マウス１５で設定データ取得ボタン４６を選択してマウス１５のスイッチをクリックする等の操作を行った場合には、前記設定データ取得部３４が図５に示す設定データ画面５０を表示する。
【００３０】
〔設定データ選択画面〕
前記設定データ画面５０では、前記インデックス表示手段３４Ａが表示エリア５１に対して設定データのインデックスとしての複数のファイル名を一覧化して表示する。この表示エリア５１に表示されたファイル名はスクロールバー５２の操作でスクロール可能となる。また、この設定データ画面５０にはＯＫボタン５３と、キャンセルボタン５４とが形成されている。
【００３１】
前記設定データとは、前記補正処理手段３６が、オペレータの操作に基づいて画像データの補正を行う際の補正係数を設定された単位でファイル化（設定データファイル１００）したものであり、この設定データを選択することにより、ファイルとして保存されている補正係数が設定される。
【００３２】
また、前記表示エリア５１に表示された複数のファイル名の１つをカーソルＣで指定した場合には、図５に示すように、指定した領域が指定されていることを示す表示状態となり、前記コメント表示手段３４Ｂが、抽出領域５５に対して、前述のように指定された設定データの内容を示すコメントデータを表示する。
【００３３】
図６に示すように、前記コメントデータとは、前記設定データに対応して、その設定データの詳細として、オペレータ名と作業名とを示す文書データのことであり、複数のコメントデータが１つのコメントデータファイル１０１に保存されている。
【００３４】
前記設定データファイル１００とコメントデータファイル１０１とは前記設定データテーブル３９に保存されている。つまり、前記設定データはＣ（シアン）・Ｍ（マゼンタ）・Ｙ（イエロー）の３原色に対する補正係数と、Ｄ（濃度）に対する補正係数を有した構造のファイルであり、夫々のファイルにインデックスとしてファイル名が与えられている。また  前記コメントデータファイル１０１は、前記複数の設定データと関連付けを行う識別情報としてのリンクファイル名が与えられた複数の文書データを有する構造のファイルである。
【００３５】
前記リンクファイル名は設定データのファイル名と同一であることが処理を容易にするものであるが、設定データファイル１００に識別情報を付与し、この識別情報をコメントデータファイルの文書データに与えても良い。
【００３６】
このような構造の設定データファイル１００とコメントデータファイル１０１とを前記設定データテーブル３９に保存しているので、前述のようにオペレータが表示エリア５１に表示された複数のファイル名の１つをカーソルＣで指定した場合には、前記設定データ取得部３４は、カーソルＣで指定されたファイル名に基づいて、このファイル名と一致するリンクファイル名を有した文書データを前記コメントデータファイル１０１から抽出して  前記抽出領域５５に表示するのである。
【００３７】
このように前記設定データ取得部３４が設定データ画面５０を表示し、カーソルＣの操作に基づいて設定データを取得する際の処理形態を図８のフローチャートのように示すことが可能である。つまり、前記設定データ取得ボタン４６が操作された際には、前記設定データ画面５０を表示する（＃１０１ステップ）。このように設定データ画面５０を表示する際には、前記設定データテーブル３９から複数の設定データファイル１００のファイル名を抽出して前記表示エリア５１に対して一覧化して表示する。
【００３８】
次に、カーソルＣの位置を取得し、このカーソルＣが表示エリア５１におけるファイル名を指定する位置にあるか否かを判別し、指定する位置にあることを判別した場合には、指定されたファイル名を反転表示することや、強調表示すること、あるいは、表示の色相を変更する等、指定状態にあることを認識できる表示状態に設定すると共に、そのファイル名と関連付けられたコメントデータをコメントデータファイル１０１から抽出して、前記抽出領域５５に表示する（＃１０２〜＃１０５ステップ）。
【００３９】
このようにコメントデータを表示する際には、前述したようにコメントデータファイル１０１からカーソルＣが位置するファイル名と同じリンクファイル名を有する文書データを抽出して抽出領域５５に表示することになる。また、コメントデータとしては、補正係数を用いるオペレータ名や作業対象を特定する作業名が含まれるものであるが、このコメントデータは、どのような情報を含むものであっても良い。尚、前記抽出領域５５は、指定されたファイル名の側部に設定される。
【００４０】
尚、表示エリア５１に表示されたファイル名をカーソルＣで指定する形態として、例えば、マウス１５のスイッチをクリックする操作によって指定を確定するように処理形態を設定しても良い。
【００４１】
また、前述したように抽出領域５５にコメントデータが表示されている状況において、カーソルＣが抽出領域５５の領域内に設定され、この設定状態でマウス１５のスイッチがクリックされた場合には、編集モードとなり、この抽出領域５５に表示されたコメントを直接編集できるように制御形態が設定されている（＃１０６、＃１０７ステップ）。
【００４２】
編集を行う際の処理形態は、パーソナルコンピュータで使用されるエディタやワードプロセッサと同様に、文字入力用のキーボードを用いて、カーソル位置に対する文字の入力や、文字の削除を行うことになり、特別にオーバーライト等の操作を行わずとも、書き込んだ文字が前記コメントデータファイルに保存される。
【００４３】
この後、前記ＯＫボタン５３が操作された場合には、既に指定されているファイル名のファイルから設定データを取得し、その設定データに含まれる補正係数を設定するのである（＃１０８、＃１０９ステップ）。
【００４４】
〔プレジャッジ画面〕
図７に示すように前記プレジャッジ画面６０が構成されている。このプレジャッジ画面６０は、画像データを表示する複数の表示部６１が形成されている。この画面の下方位置にオーダ情報表示部６２が形成され、夫々の表示部の下方位置にＹ（イエロー）、Ｍ（マゼンタ）、Ｃ（シアン）に対応した色補正選択ボタン６３と、濃度補正選択ボタン６４と、プリント枚数表示部６５とが形成され、表示部６１の上部位置に画像を特定するコマ表示部６６が形成される。
【００４５】
また、このプレジャッジ画面６０では、プリントを行えないものとして自動抽出された画像データ、あるいは、オペレータがプリントを行わないものとして設定した画像データに対しては、その画像データの表示部６１に「Ｐａｓｓ」のメッセージが表示される。
【００４６】
このプレジャッジ画面６０をモニタ１２に表示した状態で、マニュアル補正によって色補正を行う場合には、オペレータがマウス１５の操作によってカーソル（図示せず）を３つの色補正選択ボタン６３の１つの位置に一致させてマウス１５のスイッチをクリックすることや、キーボードＫＢにおいて前記色補正選択キー２の１つを操作した後に、前記インクリメントキー４又はデクリメントキー５を操作することになる。前記補正処理手段３６は、このインクリメントキー４又はデクリメントキー５の操作回数を補正操作量として取得し、この補正操作量に前記補正係数を乗じた処理結果をシミュレートして表示部６１に出力する。
【００４７】
具体的に説明すると、マウス１５の操作でカーソルを濃度補正選択ボタン６４に一致させてマウス１５のスイッチをクリックすることや、キーボードＫＢの濃度補正選択キー３を操作した後に、インクリメントキー４又はデクリメントキー５を１回操作した際の補正量は前記補正データから取得した補正係数に対応したものであり、色補正を例に挙げると、インクリメントキー４又はデクリメントキー５を複数回操作した場合には、対応した３原色（Ｙ・Ｍ・Ｃ）の画像データのうち対応したものに対して、操作回数に補正係数を乗じた値を、その色相の画像データに更に乗ずる演算が行われる。
【００４８】
このように色補正を行う際に、前述したように色補正選択ボタン６３の１つを選択した場合や、色補正選択キー２の１つを選択した場合には、選択状態にあることを示すために、選択された色補正選択ボタン６３を反転表示することや、ブリンクさせることや、輪郭を強調する等の形態での表示が行われる。
【００４９】
前記３つの色補正選択ボタン６３と濃度補正選択ボタン６４は初期状態においてＮの文字が表示され、選択した状態でインクリメントキー４を１回操作した場合にはＮの文字に代えて＋１が表示され、更に１回操作した場合には＋２の文字が表示される。これと同様に、デクリメントキー５を１回操作した場合にはＮの文字に代えて−１が表示され、更に１回操作した場合には−２の文字が表示される。
【００５０】
尚、濃度補正を行う場合には、濃度補正選択ボタン６４を選択した後に、前記インクリメントキー４又はデクリメントキー５を操作することにより、前述と同様に、このインクリメントキー４又はデクリメントキー５の操作回数を補正操作量として取得し、この補正操作量に補正係数を乗じた補正結果をシミュレートして表示エリア５１に出力する。
【００５１】
〔設定データの保存〕
前記設定データは、新しいオペレータが作業を行う場合や、オペレータが新たに補正係数を設定する場合に、補正処理に先立って保存することになる。このように新たに設定データを生成して保存する場合に図９のフローチャートに示す補正係数設定ルーチンが実行される。この補正係数設定ルーチンでは、設定画面（図示せず）をモニタ１２に表示し、補正係数をデフォルトに設定する（＃２０１、＃２０２ステップ）。
【００５２】
次に、設定画面にテスト画像を表示し、補正係数の変更を許容し、設定画面にテスト画像を表示した状態で、補正係数を任意に変更しながら前記キーボードＫＢの操作で補正を実行し、テスト画像に反映させる（＃２０３〜＃２０５ステップ）。
【００５３】
つまり、前記キーボードＫＢのインクリメントキー４やデクリメントキー５の操作回数（補正操作量）に対する補正量をテスト画像に反映させ、この操作回数に対する補正量の変化をテスト画像の変化に基づいてオペレータが判断し、オペレータが必要とする補正係数を設定する。
【００５４】
このようオペレータが必要とする補正係数を設定した後には、設定データのファイルを生成し、ファイル名とコメントデータの入力を許容し、設定データのファイル（設定データファイル１００）を保存し、コメントをコメントデータファイル１０１に保存する（＃２０６〜＃２０９ステップ）。
【００５５】
コメントデータの入力を許す場合には、編集画面を表示し、オペレータが文字入力用のキーボード等から入力された文書データをコメントデータとして保存する処理が行われるのである。
【００５６】
また、オペレータが必要とする補正係数とは、オペレータの操作感覚に基づいて設定されるものである。この補正係数は季節や撮影環境に基づいて決まるものであり、このような条件に基づきオペレータが選択することになる。更に、同じオペレータであっても、作業内容によって補正係数を変更したい場合もあり、この必要性に対応した設定データを特定できるように、コメントデータとして作業名を含むものにしている。
【００５７】
このように、本発明によると、初期画面４０の設定データ取得ボタン４６を操作することにより、設定データ画面５０が表示され、この設定データ画面５０を表示した状態でカーソルＣを操作することにより、補正処理に必要な設定データのファイル名の一覧が表示される。このファイル名から設定データの詳細が把握できないものであっても、コメントデータから設定データの詳細を適切に取得できるのである。特に、コメントデータをコメントデータファイル１０１として保存するように構成しているので、従来からの設定データの構造を変更する必要なく、従来からのプリント装置の制御形態を使用できるものにしている。
【００５８】
〔別実施形態〕
本発明は、上記した実施の形態以外に以下のように構成しても良い。
【００５９】
（ａ）設定データが、画像データと合成するためのテンプレートや、画像データを加工する際の加工形態を設定するデータであっても良い。このように設定データを設定した場合には、例えば、画像データをテンプレートと合成する場合コメントデータはテンプレートの構造の詳細を示す文書データとなる。
【００６０】
（ｂ）前記インデックスをアイコンで構成する。このようにアイコンを用いることによって、視覚的に設定データの概要を把握でき、このアイコンをカーソル等で指定することにより、そのアイコンが示す設定データの詳細をコメントデータを介して取得することが可能となる。
【００６１】
（ｃ）タッチパネルを備えたモニタに対して設定データを表示するものに適用する。このように表示形態を設定したものでは、モニタに表示された設定データに部位に指を接触させることにより、その設定データが指定状態となり、関連付けられたコメントデータが表示される。
【産業上の利用可能性】
【００６２】
プリント装置としてインクジェット型のもの、あるいは、昇華型のプリント装置に適用する。
【図面の簡単な説明】
【００６３】
【図１】プリント装置の斜視図
【図２】キーボードの平面図
【図３】初期画面を示す図
【図４】処理装置の制御系を示すブロック回路図
【図５】設定データ画面を示す図
【図６】設定データファイルとコメントデータファイルとの構造を示す図
【図７】プレジャッジ画面を示す図
【図８】設定データ取得ルーチンを示すフローチャート
【図９】補正係数設定ルーチンを示すフローチャート
【符号の説明】
【００６４】
１２          モニタ
１５          ポインティングデバイス：マウス
３４Ｂ        コメント表示手段
３６          補正処理手段
【図１】
2007042022.tif 000003
【図２】
2007042022.tif 000004
【図３】
2007042022.tif 000005
【図４】
2007042022.tif 000006
【図５】
2007042022.tif 000007
【図６】
2007042022.tif 000008
【図７】
2007042022.tif 000009
【図８】
2007042022.tif 000010
【図９】
2007042022.tif 000011